(57)【要約】【課題】カート上に段積み状に積載した各種の積載物の周囲側面、上部、下部それぞれを結束固定してカートからの荷くずれを未然に防止する。【解決手段】左右に保護柵Ｑを配し、前後を開放して積載物Ｃを段積み状に積載するカートＰの保護柵Ｑ周囲もしくはカートＰに積載した積載物Ｃ周囲を巻回する長さを有し、端部相互を牽引して引き締めた状態で互いに連結固定する固定手段２を備えた複数のシートカバー１Ａ，１Ｂ，…を形成する。シートカバー１Ａ，１Ｂ，…は、カートＰの保護柵Ｑ周囲もしくはカートＰに積載した積載物Ｃ周囲で複数段状で巻回配置し、下段側に配したシートカバー１Ａの外側面に配した面ファスナー１１Ａと上段側に配したシートカバー１Ｂの内側面に配した面ファスナー１１Ｂとを相互に止着して上下で一体状にする止着手段１１を設ける。最上段のシートカバー１Ｂ、最下段のシートカバー１Ａそれぞれの前後面を補助止着ベルト１２で連結する。【選択図】　　　図１
2004142811.tif 000002
【特許請求の範囲】
【請求項１】
左右側面に保護柵を配し且つ前後面を開放し、積載物を段積み状に積載可能としたカートの保護柵周囲、もしくはカートに積載されている積載物周囲を巻回するに足りる長さを有し、端部相互が牽引されて引き締められた状態で互いに連結固定する固定手段を介して保護柵周囲もしくは積載物周囲に固定保持可能にした少なくとも２つのシートカバーを備え、カートの保護柵周囲、もしくはカートに積載されている積載物周囲でシートカバーを複数段状に巻回配置させると共に、下段側に配したシートカバーの外側面に配した面ファスナーと上段側に配したシートカバーの内側面に配した面ファスナーとを相互に止着して上下で一体状にする止着手段を備えて成ることを特徴とする荷くずれ防止装置。
【請求項２】
固定手段は、カートの保護柵周囲もしくはカートに積載されている積載物周囲を巻回した後にシートカバーの端部相互を重ね合わせた状態とし、内側に位置させたシートカバーの端部に連結してある把手を外出させるべく外側に位置させたシートカバーの端部にシートカバー自体の長さ方向に沿って開口形成したスリットと、シートカバーの端部それぞれに連結してある把手を共に反対方向に牽引して保護柵周囲もしくは積載物周囲を締め付けて貼着固定すべくシートカバーの内外側面に配置形成した雄雌の面ファスナーとを備えている請求項１記載の荷くずれ防止装置。
【請求項３】
最上段に配置したシートカバーには、前後面で積載物上面に沿って止着すべく前後面で跨がせた複数本の補助止着ベルトを備えた請求項１または２記載の荷くずれ防止装置。
【請求項４】
最下段に配置したシートカバーには、前後面でカート底面に沿って掛け渡す複数本の補助止着ベルトを備えた請求項１乃至３のいずれか記載の荷くずれ防止装置。
【発明の詳細な説明】
【０００１】
【発明の属する技術分野】
本発明は、例えばお米・小麦粉・パン粉等の商品を封入した袋物、またはこれらの各種商品を収容した折り畳み可能なプラスチック製の箱・段ボール箱、さらにはネステイングタイプの樹脂容器等である各種の積載物を積載して運搬でき、またその儘で陳列できるように、左右側面に保護柵を配し、前後面を開放して成るカートに上記の各種の積載物を積載したときの荷くずれを防止するようにした荷くずれ防止装置に関する。
【０００２】
【従来の技術】
各種の食品、製造物、生産品その他を梱包した袋物、またはこれらの各種商品を収容した折り畳み可能なプラスチック製の箱・段ボール箱、さらにはネステイングタイプの樹脂容器等の各種の積載物は、これらを纏めて運搬したり倉庫内に保管したりし、さらに店頭販売先にてその儘で陳列できるようにするため、左右側面に保護柵を配し、前後面を開放して成るカートに積載物を積載している。このようなカートであると前後面が開放されていることで荷くずれが生じやすいために、段積み状に積載された積載物の荷くずれを防止すべく、従来では紐材またはベルト材等によって、段積みされた積載物の周囲を巻回固定するか、あるいはカートの保護柵と共に運搬物の周囲を巻回固定するかしていた。
【０００３】
【発明が解決しようとする課題】
しかしながら、この従来のように紐材またはベルト材等によって、カート上に段積みされた積載物の周囲を巻回固定するか、あるいはカートの保護柵と共に運搬物の周囲を巻回固定するかしていただけであると、紐材またはベルト材等で巻回固定されている以外の積載物は露出した状態のままである。このため紐材またはベルト材等で巻回固定されていない例えば上段部分もしくは下段部分のズレを防止することができないものとなり、これによって積載物の運搬・保管または陳列に際し、カート上に段積みされた積載物の転倒が避けられないものとなる。また、このような積載物のズレを防止するために紐材またはベルト材等を積載物の高さに対応して側面周囲のほぼ全体に巻回使用したとしても紐材またはベルト材相互間は開放された状態であるため、ズレ防止の根本的な解決策にはならない等の問題点を有していた。
【０００４】
また特許第２６０５２２１号に示されたように、積載物の周囲を巻回した後のベルト本体相互を重ね合わせて積載物に装着するに際し、ベルト本体の端部相互を重ねるとき、内側の端部に連結した把手を外側の端部に開口した横長スリットから外出させて、互いに引き締めるようにして固定する荷崩れ防止装置のものもある。しかしながら、これは上記したようなカート上の積載物の周囲を巻回するのみで、カートの上部あるいは下部にある積載物を確実に支持するには不十分な点があった。
【０００５】
そこで、本発明は、叙上のような従来存した諸事情に鑑み創出されたもので、カート上に縦長段積み状に積載された積載物の上段部分から下段部分にわたっての当該積載物のズレを防止することにより、カートに積載物を積載したときの荷くずれを防止するようにした荷くずれ防止装置を提供することを目的とする。
【０００６】
【課題を解決するための手段】
上述した目的を達成するため、本発明にあっては、　左右側面に保護柵Ｑを配し且つ前後面を開放し、積載物Ｃを段積み状に積載可能としたカートＰの保護柵Ｑ周囲、もしくはカートＰに積載されている積載物Ｃ周囲を巻回するに足りる長さを有し、端部相互が牽引されて引き締められた状態で互いに連結固定する固定手段２を介して保護柵Ｑ周囲もしくは積載物Ｃ周囲に固定保持可能にした少なくとも２つのシートカバー１Ａ，１Ｂ，…を備え、カートＰの保護柵Ｑ周囲、もしくはカートＰに積載されている積載物Ｃ周囲でシートカバー１Ａ，１Ｂ，…を複数段状に巻回配置させると共に、下段側に配したシートカバー１Ａの外側面に配した面ファスナー１１Ａと上段側に配したシートカバー１Ｂの内側面に配した面ファスナー１１Ｂとを相互に止着して上下で一体状にする止着手段１１を備えて成るものである。
固定手段２は、カートＰの保護柵Ｑ周囲もしくはカートＰに積載されている積載物Ｃ周囲を巻回した後にシートカバー１Ａ，１Ｂ，…の端部相互を重ね合わせた状態とし、内側に位置させたシートカバー１Ａ，１Ｂ，…の端部に連結してある把手３を外出させるべく外側に位置させたシートカバー１Ａ，１Ｂ，…の端部にシートカバー１Ａ自体の長さ方向に沿って開口形成したスリット５と、シートカバー１Ａ，１Ｂ，…の端部それぞれに連結してある把手３を共に反対方向に牽引して保護柵Ｑ周囲もしくは積載物Ｃ周囲を締め付けて貼着固定すべくシートカバー１Ａの内外側面に配置形成した雄雌の面ファスナー４とを備えて成るものとできる。
最上段に配置したシートカバー１Ｂ，…には、例えば相互に交差させて、前後面で積載物Ｃ上面に沿って止着すべく前後面で跨がせた複数本の補助止着ベルト１２Ａを備えた構成とすることができる。
最下段に配置したシートカバー１Ａには、前後面でカートＰ底面に沿って掛け渡す複数本の補助止着ベルト１２Ｂを備えた構成とすることができる。
【０００７】
本発明に係る荷くずれ防止装置にあって、シートカバー１Ａ，１Ｂ，…は、カートＰ上に段積みされた積載物Ｃの高さに応じて複数で使用され、それぞれのシートカバー１Ａ，１Ｂ，…は固定手段２により水平方向に巻回配置され、止着手段１１により下段側に配したシートカバー１Ａの外側面に配した面ファスナー１１Ａと上段側に配したシートカバー１Ｂの内側面に配した面ファスナー１１Ｂとを相互に止着して上下で一体状にすることで当該カートＰと共に積載物Ｃをその側面周囲の上段部分から下段部分にわたって隙間なく結束させる。
また固定手段２は、カートＰの保護柵Ｑと共に積載物Ｃ周囲を巻回した後にシートカバー１Ａの端部相互を重ね合わせるとき、外側に位置させたシートカバー１Ａ，１Ｂ，…の端部にシートカバー１Ａ，１Ｂ，…自体の長さ方向に沿って開口形成したスリット５内から、内側に位置させたシートカバー１Ａ，１Ｂ，…の端部に連結してある把手３を外出させ、それぞれの把手３を共に反対方向に牽引してカートＰ周囲を締め付け、シートカバー１Ａ，１Ｂ，…の内外側面に配置形成してある雄雌の面ファスナー４によって貼着固定させる。
最上段に配置したシートカバー１Ｂの前後面で跨がせた補助止着ベルト１２Ａは、最上段に配置したシートカバー１Ｂ上側で例えば相互に交差させて止着させることにより、カートＰ上側に露出している積載物Ｃを固定保持させる。
最下段に配置したシートカバー１Ａの前後面で配した補助止着ベルト１２Ｂは、前後面でカートＰ底面に沿って掛け渡すことにより、カートＰ下部に積載露出している積載物Ｃを固定保持させる。
【０００８】
【発明の実施の形態】
以下、図面を参照して本発明の一実施の形態を説明するに、図において示される符号１Ａ，１Ｂは所定幅員の帯状に形成した２枚のシートカバーであり、図１に示すように、下面側の四隅にキャスターを付設し、左右側面に背丈高さ程度の縦長梯子状の保護柵Ｑを配し、前後面を開放して成るカートＰ上に段積み状に積載された各種の積載物Ｃを当該カートＰの保護柵Ｑと共に水平方向で巻回装着するに足りる長さと幅員とを備えている。尚、本実施の形態においては、カートＰに対して２枚のシートカバー１Ａ，１Ｂを使用しているが、これに限らず、カートＰの高さの程度に応じて３枚もしくは３枚以上のシートカバー１Ａ，１Ｂ，…を使用しても良いことは勿論である。また、本実施の形態におけるシートカバー１Ａ，１Ｂは、積載物Ｃを当該カートＰの保護柵Ｑと共に水平方向で巻回装着するものとしているが、保護柵Ｑを巻き込まずに積載物Ｃ周囲に直接巻回させても良い。
【０００９】
そして、このシートカバー１Ａ，１Ｂは、積載物Ｃを積載したカートＰを略水平方向で巻回装着する場合には、カートＰの上下方向で必要があれば複数段に跨がって掛け渡される上下方向の幅員と、カートＰの周囲を水平方向で囲繞するに足りる長さとを備えたものとなっており（図３参照）、その形成素材は例えばポリエステル繊維をポール・グラスファイバーと共に織成したものであり、外部からの衝撃、破断力その他に対しては容易には破断されない程度の強靱性を備えたものとしてある。また、シートカバー１Ａ，１Ｂには、エアーキャップまたはウレタン等の緩衝材を内装させるか、あるいはシートカバー１Ａ，１Ｂ自体を二重構造にしてこれら緩衝材を挟み込む構造とすることで積載物Ｃの保護機能を強化させることもできる。
【００１０】
また、このシートカバー１Ａ，１Ｂは、積載物Ｃを積載したカートＰの周側面部を巻回装着した後のシートカバー１Ａ，１Ｂ自体の端部相互が牽引されてしっかりと引き締められた状態で互いに連結固定することができる固定手段２を有している。図示例における固定手段２は、カートＰの保護柵Ｑと共に積載物Ｃ周囲を巻回した後にシートカバー１Ａ，１Ｂの端部相互を重ね合わせるとき、外側に位置させたシートカバー１の一端部にシートカバー１Ａ，１Ｂ自体の長さ方向に沿って開口形成したスリット５内から、内側に位置させたシートカバー１Ａ，１Ｂの他端部に連結してある把手３を外出させ、この把手３を前記の一端部に連結してある把手３と共に反対方向に牽引してカートＰ周囲を締め付け、シートカバー１Ａ，１Ｂの内外側面に配置形成してある雄雌の面ファスナー４によって貼着固定することで、シートカバー１Ａ，１ＢがカートＰの保護柵Ｑと共に積載物Ｃ周囲を巻回したものとなって積載物Ｐの荷くずれを防止するようにしてある。
【００１１】
面ファスナー４は、シートカバー１Ａ，１Ｂの例えば長さ方向の縁部に沿って配置されるものであり、雄雌面のいずれか一方が長く形成されることで、長く開穿されたスリット５と共にカートＰ周囲の長さに対しての装着調整が可能となるようにしてある。また、シートカバー１Ａ，１Ｂの端部それぞれには、端部を把手３にて牽引するときの端部における保形性を維持するように、端縁部内に端部に直交させて細帯板、丸棒の如き保形芯材６を内装してある。尚、この保形芯材６は、必要に応じてシートカバー１Ａ，１Ｂの端部それぞれに内装されたものであり、シートカバー１Ａ，１Ｂ自体が補強性のある材質から形成されているものであればこれを除外しても良い。
【００１２】
尚、この固定手段２は、図示例に限らず、図示を省略したが例えばシートカバー１Ａ，１Ｂの一端部に連結した帯状の連結紐を、他端部に連結したいわゆるＤ環と称される帯通し環に挿通して折り返し状に反転させ、連結紐に配置形成してある雄雌の面ファスナーによって貼着接合するようにしたりするものであっても良い。また、シートカバー１Ａ，１Ｂのいずれか一方の端部に連結したリング状のゴムバンドの如き弾性部材を他方の端部に配したフック、ボタン等に係合するものとしたり、端部相互をボタン、フック等によって直接的に係合固定するものとしたりしても良く、いずれにしてもカートＰを巻回したシートカバー１Ａ，１Ｂを積載物Ｃに装着した状態で固定できればその固定手段２構造は特に限定されるものではない。
【００１３】
また、カートＰに巻回装着された複数のシートカバー１Ａ，１Ｂ同士をカートＰ周囲で複数段状にしてしかも相互間に隙間を生じさせることなくしっかりと固定保持するために、図５に示すように、下段側に配したシートカバー１Ａの外側面に配した面ファスナー１１Ａと上段側に配したシートカバー１Ｂの内側面に配した面ファスナー１１Ｂとを相互に止着して上下で一体状にする構成による止着手段１１を備えている。
【００１４】
この止着手段１１における雌雄の面ファスナー１１Ａ，１１Ｂそれぞれは、上下方向で配されるシートカバー１Ａ，１Ｂそれぞれで互いに上下方向で合致する部位に配設形成してある。また、図示のようにシートカバー１Ａ，１Ｂの表側である外側面に配される面ファスナー１１Ａは、カートＰ、積載物Ｃ等に巻回したときのシートカバー１Ａ，１Ｂの上下に沿ってその幅員とほぼ同じ長さで形成され、シートカバー１Ａ，１Ｂの裏側である内側面に配される面ファスナー１Ｂはシートカバー１Ａ，１Ｂの上下縁部位置でのみ形成されている。
【００１５】
すなわち具体的なシートカバー１Ａ，１Ｂの止着手段１１の構成としては、図３、図４に示すように、シートカバー１Ａ，１Ｂの外側面の例えば左右対称位置に長さ方向に対して直角となるようにそれぞれ平行な各２本の面ファスナー１１Ａが延設され、内側面では縁端部のみに面ファスナー１１Ｂを付設してある。そしてカートＰ周囲にシートカバー１Ａ，１Ｂが巻回装着された際には、一方の２本の面ファスナー１１Ａに対して他方の２本の面ファスナー１１Ｂがそれぞれ反対側に対向位置するようにシートカバー１Ａ，１Ｂの各２本の面ファスナー１１Ａ，１１Ｂ相互の離間長さを設定してある。
【００１６】
シートカバー１Ａ，１Ｂ同士の止着に際し、シートカバー１Ｂの長手方向に沿った下端側縁部を下段側のシートカバー１Ａの長手方向に沿った上端側縁部に覆うように被せておいてから、止着手段１１によって、下段側に配したシートカバー１Ａの外側面に配した面ファスナー１１Ａと上段側に配したシートカバー１Ｂの内側面に配した面ファスナー１１Ｂとを相互に止着して上下で一体状にするものとしてある（図５参照）。
【００１７】
最上段に配置したシートカバー１Ｂには、例えば相互に交差させて止着すべく前後面で跨がせた複数本の補助止着ベルト１２Ａを備えると共に、最下段に配置したシートカバー１Ａには、前後面でカートＰ底面に沿って掛け渡すべく、場合によっては互いに交差させるようにした複数本の補助止着ベルト１２Ｂを備えている。これら補助止着ベルト１２Ａ，１２Ｂの止着は、当該補助止着ベルト１２Ａ，１２Ｂの端部一側面に設けた面ファスナー１２Ｃをシートカバー１Ｂ、１Ａの外側面に配した面ファスナー１１Ａそれぞれに貼着させることで固定されるものとしてある。
【００１８】
また、図３に示すように、シートカバ−１Ａ，１Ｂのほぼ中央位置と一方の把手３の近傍位置とには略正方形状の仮止め用の面ファスナー１３が設けられており、不使用時において、シートカバー１Ａ，１Ｂを例えば四つ折り状にした後に面ファスナー１３にて仮止めし、図４に示すように、前記把手３等にてカートＰの保護柵Ｑの一端側に係架することでカートＰと共に一括して保管できるようにしてある。
【００１９】
次に、本発明装置の使用の一例を説明するに、図１に示すように、保形芯材６が内設されていることで剛性化されているシートカバー１Ａのいずれか一方の端部のスリット５を備えている側の端部側をカートＰ一端側の保護柵Ｑに位置する積載された積載物Ｃ相互間に挿入して、あるいは保護柵Ｑに巻回して仮止めしておく。そしてシートカバー１Ａの他端側を積載物Ｃが積載されているカートＰの保護柵Ｑ周囲に巻回し、他方の端部側を前記の一方の端部側へ引き締めるように牽引した後にシートカバー１Ａの端部相互を重ね合わせ、固定手段２により連結固定する。この固定手段２は、外側に位置させたシートカバー１Ａの一端部にシートカバー１Ａ自体の長さ方向に沿って開口形成したスリット５内から、内側に位置させたシートカバー１Ａの他端部に連結してある把手３を外出し、それぞれの把手３を共に反対方向に牽引してカートＰ周囲を締め付け、シートカバー１Ａの内外側面に配置形成してある雄雌の面ファスナー４によって貼着固定することで両端部相互をしっかりと密着固定する。
【００２０】
次に、下段側のシートカバー１Ａに対して上段側にシートカバー１Ｂを上記と同様にして固定する。そして、カートＰに巻回固定されている下段側のシートカバー１Ａに対して上段側のシートカバー１Ｂを連結保持するには、シートカバー１Ｂの長手方向に沿った下端側縁部を下段側のシートカバー１Ａの長手方向に沿った上端側縁部に覆うように被せておいてから、止着手段１１によって、下段側に配したシートカバー１Ａの外側面に配した面ファスナー１１Ａと上段側に配したシートカバー１Ｂの内側面に配した面ファスナー１１Ｂとを相互に止着して上下で一体状にする（図５参照）。このようにしてカートＰ周囲において下段側のシートカバー１Ａに対し上段側のシートカバー１Ｂを適度な張力を発生した状態で固定させて相互を一体化する。
【００２１】
また、最上段に配置したシートカバー１Ｂにおいては前後面で跨がせた２本の補助止着ベルト１２Ａを例えば交差させて、補助止着ベルト１２Ａの両端部一側面に設けた面ファスナー１２Ｃをシートカバー１Ｂの外側面に配した面ファスナー１１Ｂに貼着させることで相互に固定する。また、最下段に配置したシートカバー１Ａにおいては同じく前後面でカートＰ底面に沿って掛け渡した補助止着ベルト１２Ｂを必要に応じて交差させて、補助止着ベルト１２Ｂの両端部一側面に設けた面ファスナー１２Ｃをシートカバー１Ａの外側面に配した面ファスナー１１Ａに貼着させることで固定する。
【００２２】
尚、不使用時においては、図２に示すように、シートカバ−１Ａ，１Ｂを四つ折り状にした後にシートカバー１Ａ，１Ｂのほぼ中央位置と、一方の把手３の近傍位置とに配した仮止め用の面ファスナー１３にて仮止めし、前記把手３等にてカートＰの保護柵Ｑの一端側に掛架することでカートＰと共に一括して保管される。
【００２３】
【発明の効果】
以上説明したように本発明によれば、カートＰ上に縦長段積み状に積載された積載物Ｃの上段部分から下段部分にわたって積載物Ｃ全体を覆うことになり、当該積載物Ｃのズレを防止することにより、カートＰに積載物Ｃを積載したときの荷くずれを未然に防止することができる。また、積載物Ｃを取り出したり、販売場所で陳列したりするときにはシートカバー１Ａ，１Ｂ，…を、固定手段２、止着手段１１それぞれの解除によってカートＰから簡単に取り外すことができる。そればかりでなく、不要時はシートカバー１をコンパクトに折り畳んだ後、例えばカートＰの保護柵Ｑに係架することでカートＰと共に一括して保管でき、また簡単に携帯できることで、荷積み、荷下ろし、運搬作業に際し、迅速に使用できるものである。
【００２４】
更には、カートＰと共に積載物Ｃを複数のシートカバー１Ａ，１Ｂ，…によって巻回固定し且つ補助止着ベルト１２によってカートＰの保護柵Ｑと共に積載物Ｃの上部および下部を固定することで、例えばスーパーマーケット、大規模小売店等での各種の品出し、オフィス等での書類の移動、工場内での荷物の移動、宅配業者の納品等にも簡単に利用できるものである。
【００２５】
すなわちこれは本発明において、　左右側面に保護柵Ｑを配し且つ前後面を開放し、積載物Ｃを段積み状に積載可能としたカートＰの保護柵Ｑ周囲、もしくはカートＰに積載されている積載物Ｃ周囲を巻回するに足りる長さを有し、端部相互が牽引されて引き締められた状態で互いに連結固定する固定手段２を介して保護柵Ｑ周囲もしくは積載物Ｃ周囲に固定保持可能にした少なくとも２つのシートカバー１Ａ，１Ｂ，…を備え、カートＰの保護柵Ｑ周囲、もしくはカートＰに積載されている積載物Ｃ周囲でシートカバー１Ａ，１Ｂ，…を複数段状に巻回配置させると共に、下段側に配したシートカバー１Ａの外側面に配した面ファスナー１１Ａと上段側に配したシートカバー１Ｂの内側面に配した面ファスナー１１Ｂとを相互に止着して上下で一体状にする止着手段１１を備えて成るからであり、これによって、カートＰ上で段積み状に積載された各種の積載物Ｃの側面周囲、またはカートＰの保護柵Ｑ周囲にしっかりと結束して荷くずれを容易、確実に防止できるものだからである。
【００２６】
固定手段２は、カートＰの保護柵Ｑ周囲もしくはカートＰに積載されている積載物Ｃ周囲を巻回した後にシートカバー１Ａの端部相互を重ね合わせた状態とし、内側に位置させたシートカバー１Ａの端部に連結してある把手３を外出させるべく外側に位置させたシートカバー１Ａの一端部にシートカバー１Ａ自体の長さ方向に沿って開口形成したスリット５と、シートカバー１Ａ，１Ｂ，…の端部それぞれに連結してある把手３を共に反対方向に牽引して保護柵Ｑ周囲もしくは積載物Ｃ周囲を締め付けて貼着固定すべくシートカバー１Ａの内外側面に配置形成した雄雌の面ファスナー４とを備えて成るので、カートＰ上で段積み状に積載された各種の積載物Ｃの側面周囲、またはカートＰの保護柵Ｑ周囲に容易に且つ迅速に装着でき、カートＰ、積載物Ｃを共に結束することができる。
【００２７】
最上段に配置したシートカバー１Ｂには、前後面で積載物Ｃ上面に沿って止着すべく前後面で跨がせた複数本の補助止着ベルト１２Ａを備えているので、カートＰ上側に露出している積載物Ｃをしっかりと固定保持でき、移動中においても積載物Ｃを落下させるようなこともないのである。
【００２８】
最下段に配置したシートカバー１Ａには、前後面でカートＰ底面に沿って掛け渡す複数本の補助止着ベルト１２Ｂを備えているので、カートＰ底部に露出している積載物Ｃをしっかりと固定保持させておくことができる。
【図面の簡単な説明】
【図１】本発明の一実施の形態におけるカート周囲にシートカバーを固定する場合の作業手順を示す一部の拡大図を含む斜視図である。
【図２】シートカバーの不使用時の保管例を示す斜視図である。
【図３】本発明の一実施の形態における展開正面図である。
【図４】同じく展開背面図である。
【図５】装着後のシートカバー同士の止着状態を示す図１におけるＸ−Ｘ線矢視の要部断面図である。
【符号の説明】
Ｃ…積載物　　　　　　　　　　　Ｐ…カート
Ｑ…保護柵
１Ａ，１Ｂ…シートカバー　　　　　２…固定手段
３…把手　　　　　　　　　　　　４…面ファスナー
５…スリット　　　　　　　　　　　６…保形芯材
１１…止着手段　　　　　　　　　１１Ａ，１１Ｂ…面ファスナー
１２Ａ，１２Ｂ…補助止着ベルト　１３…仮止め用の面ファスナー
【図１】
2004142811.tif 000003
【図２】
2004142811.tif 000004
【図３】
2004142811.tif 000005
【図４】
2004142811.tif 000006
【図５】
2004142811.tif 000007